(57)【要約】【課題】表示パネルの中央範囲の輝度を低下させずに、表示パネルのコーナー部の輝度を他の箇所の輝度に近づけることができる表示装置を提供する。【解決手段】光源配置面１６Ｓと、光源配置面１６Ｓと対向して設けられた表示パネルと、光源配置面１６Ｓの予め定められた中央範囲ＣＡを通り、且つ表示パネルの第１辺の方向横方向に沿って、光源配置面１６Ｓに取り付けられた複数の光源１９である第１光源群１９４Ｃ、１９４Ｄと、光源配置面１６Ｓのコーナー部１６Ａに配置された少なくとも１つの光源１９Ａを含み、コーナー部１６Ａから中央範囲ＣＡに向かう方向に、光源配置面１６Ｓに配置された複数の光源１９である第２光源群１９４Ａ、１９４Ｂ、１９４Ｅ、１９４Ｆと、を備える。【選択図】図４
2014219649.tif 000002
【特許請求の範囲】
【請求項１】
光源が配置された面である光源配置面と、
前記光源配置面と対向して設けられ、一対の第１辺を有する表示パネルと、
前記光源配置面の予め定められた中央範囲を通り、且つ前記第１辺の方向に沿って、前記光源配置面に配置された複数の前記光源である第１光源群と、
前記光源配置面のコーナー部に取り付けられた少なくとも１つの光源を含み、前記コーナー部から前記中央範囲に向かう方向に、前記光源配置面に配置された複数の前記光源である第２光源群と、を備える
表示装置。
【請求項２】
前記光源配置面の裏には、前記光源が取り付けられた基板である光源基板が配置されており、
前記光源配置面には、前記光源を貫通させる貫通孔が形成されており、
前記光源は、発光方向が前記表示パネルへ向かう方向となるように、前記貫通孔を貫通しており、
前記光源取付面の裏には、前記光源基板のうち、前記光源取付面のコーナー部或いは前記コーナー部近傍を含む基板である特定基板が配置されており、
前記第２光源群は、前記特定基板のうち、前記コーナー部に対応する箇所であるコーナー部対応箇所に取り付けられた前記１つの光源を含み、前記特定基板に、前記コーナー部対応箇所から前記光源配置面の中央範囲に向かう方向に取り付けられた、前記複数の光源から構成されている
請求項１に記載の表示装置。
【請求項３】
前記第２光源群では、前記中央範囲から前記コーナー部へ向かうにつれて、隣接する２つの前記光源間の間隔が小さくなる
請求項１又は２に記載の表示装置。
【請求項４】
前記第２光源群には、前記第１光源群に供給する駆動電力よりも大きな駆動電力が供給される
請求項１〜３のいずれか１項に記載の表示装置。
【請求項５】
光源が配置された面である光源配置面と、
前記光源配置面と対向して設けられ、一対の第１辺を有する表示パネルと、
前記光源配置面の予め定められた中央範囲を通り、且つ前記第１辺の横方向に沿って配置された複数の前記光源である光源群が、複数、前記第１辺とは交差する、前記表示パネルの第２辺の縦方向に沿って、前記光源配置面に配置されることにより構成された複数の光源群と、
前記光源配置面のコーナー部に配置された前記光源であるコーナー部光源と、を備える
表示装置。
【請求項６】
前記コーナー部光源には、前記複数の光源群に供給する駆動電力よりも大きな駆動電力が供給されている
請求項５に記載の表示装置。
【請求項７】
光源が配置された面である光源配置面と、
前記光源配置面と対向して設けられ、一対の第１辺を有する表示パネルと、
前記光源配置面の予め定められた中央範囲を通り、且つ前記第１辺の横方向に沿って取り付けられた複数の前記光源である光源群が、複数、前記第１辺とは交差する、前記表示パネルの第２辺の方向に沿って、前記光源配置面に配置されることにより構成された複数の光源群と、を備え、
前記光源配置面には、前記第２辺に沿って最上部の前記光源群、及び、前記第２辺に沿って最下部の前記光源群のうち、前記光源配置面のコーナー部に近接する光源である近接光源が、他の前記光源よりも前記表示パネル側に位置するように段差が設けられている
表示装置。
【請求項８】
光源が配置された面である光源配置面と、
前記光源配置面と対向して設けられ、一対の第１辺を有する表示パネルと、
前記光源配置面において、当該光源配置面の予め定められた中央範囲を通り、且つ前記第１辺の横方向に沿って配置された複数の前記光源である光源群が、複数、前記第１辺とは交差する、前記表示パネルの第２辺の方向に沿って配置されることにより構成された複数の光源群と、を備え、
前記第２辺に沿って最上部の前記光源群、及び、前記第２辺に沿って最下部の前記光源群では、前記光源配置面のコーナー部に最も近接する前記光源である近接光源が、当該近接光源の発光方向が前記表示パネルのコーナー部に向かうように取り付けられている
表示装置。
【請求項９】
前記光源配置面の裏には、前記光源が取り付けられた光源基板が、前記第２辺に沿って複数配置されており、
前記光源配置面には、前記光源を貫通させる貫通孔が形成されており、
前記光源は、発光方向が前記表示パネルへ向かう方向となるように、前記貫通孔を貫通しており、前記最上部の光源群、及び、前記最下部の前記光源群は、各々、前記光源基板に取り付けられており、
前記表示パネルは、前記一対の第１辺として、上辺及び下辺を有しており、
前記最上部の光源群が取り付けられた前記光源基板である上部光源基板は、当該上部光源基板の表面が前記表示パネルの前記上辺へ向かう方向を向くように傾斜しており、
前記最下部の光源群が取り付けられた前記光源基板である下部光源基板は、当該光源基板の表面が前記表示パネルの前記下辺に向かう方向を向くように傾斜している
請求項８に記載の表示装置。
【請求項１０】
前記光源は、発光素子と、前記発光素子から発光された光を分散するレンズと、を備え、
前記レンズは、前記発光素子に対して傾斜可能であり、
前記近接光源の前記レンズは、当該近接光源からの光が前記コーナー部に向かうように、前記発光素子に対して傾斜している
請求項８に記載の表示装置。
【請求項１１】
前記光源は、ＬＥＤ（Light Emitting Diode）である
請求項１〜１０のいずれか１項に記載の表示装置。
【請求項１２】
前記表示パネルは液晶パネルである
請求項１〜１１のいずれか１項に記載の表示装置。
【発明の詳細な説明】
【技術分野】
【０００１】
本発明は、液晶ディスプレイ装置等の表示装置に関する。
【背景技術】
【０００２】
従来、テレビジョンなどの表示装置の１つとして、液晶ディスプレイ装置が広く用いられている（例えば、特許文献１）。
【０００３】
この種の液晶ディスプレイ装置では、液晶パネルの背面に反射シートが設けられている。反射シートの底面には複数のＬＥＤが配置されている。各ＬＥＤは、反射シートの底面に、液晶パネルの表面に対向するように配置されている。各ＬＥＤは、液晶パネルのバックライトとしての機能を有する。
【０００４】
図１２は、従来の液晶ディスプレイ装置を分解した状態を示す分解斜視図である。なお、図１２において、液晶パネル１３の横方向をＸ軸方向で表し、液晶パネル１３の縦方向をＹ軸方向で表している。また、図１２において、反射シート１６及び反射シート１６への付属要素以外は、図１に示す液晶ディスプレイ装置１０と同様であるため、説明を省略する。
【０００５】
図１２に示すように、反射シート１６の裏面には、縦３列、横２列のＬＥＤ基板（光源基板）２０が配置されている。
【０００６】
複数のＬＥＤ基板２０の表面には、各々、複数のＬＥＤ１９が取り付けられている。各ＬＥＤ１９は、その発光方向が液晶パネル１３の方向となるように、反射シート１６の底面１６Ｓに形成された貫通孔を貫通している。なお、貫通孔については、実施の形態の欄において説明する。
【０００７】
図１３は、従来の液晶ディスプレイ装置内の反射シートの表面図である。なお、反射シート１６は、図１２に示すように、反射シート１６の４つの外辺が、各々、液晶パネル１３の辺と略重なるように、液晶パネル１３に取り付けられる。
【０００８】
そのため、反射シート１６の横方向と液晶パネル１３の横方向とは同一方向であり、反射シート１６の縦方向と液晶パネル１３の縦方向とは同一方向である。したがって、反射シート１６の横方向を、液晶パネル１３の横方向と同じ矢印Ｘで表し、反射シート１６の縦方向を液晶パネル１３の縦方向と同じ矢印Ｙで表す。
【０００９】
図１３に示すように、反射シート１６の底面１６Ｓには、複数のＬＥＤ１９からなるＬＥＤ群１９４Ａ、１９４Ｃ、及び１９４Ｅが、各々、底面１６Ｓの中央範囲ＣＡから底面１６Ｓの左端に向けて配置されている。また、ＬＥＤ群１９４Ａ、１９４Ｃ、及び１９４Ｅは、縦方向に沿って配置されている。
【００１０】
一方で、複数のＬＥＤ１９からなるＬＥＤ群１９４Ｂ、１９４Ｄ、及び１９４Ｆは、各々、底面１６Ｓの中央範囲ＣＡから底面１６Ｓの右端に向けて配置されている。また、ＬＥＤ群１９４Ｂ、１９４Ｄ、及び１９４Ｆは、縦方向に沿って配置されている。
【００１１】
反射シート１６の裏では、互いに横方向で隣り合う２つのＬＥＤ基板の間に、２つのＬＥＤ基板を電気的に接続する配線３００が施されている。
【００１２】
図１４は、図１３をＣ−Ｃ線方向に見た側面図であり、反射シート１６、放熱板１８、ＬＥＤ１９、及びＬＥＤ基板２０の断面を模式的に描いた図である。なお、リアフレーム１７は、図１３をＣ−Ｃ線方向に見たときには表れないが、放熱板１８について説明するために、リアフレーム１７を図示している。
【００１３】
図１４に示すように、反射シート１６の底面１６Ｓには、ＬＥＤ１９を貫通させるための貫通孔１６０が形成されている。ＬＥＤ１９は、そのレンズ１９０が上方（つまり液晶パネル１３の方向）を向くように、貫通孔１６０を貫通している。
【００１４】
そして、ＬＥＤ１９は、その脚部１９１がＬＥＤ基板２０に接続されている。ＬＥＤ１９は、ＬＥＤ基板２０を通じて脚部１９１が通電されることにより、発光素子１９２が発光する。発光素子１９２によって得られた光は、レンズ１９０によって拡散されて、上方（つまり液晶パネル１３の方向）に向かう。
【００１５】
ＬＥＤ基板２０は、放熱テープやネジによって、放熱板１８に取り付けられている。放熱板１８は、リアフレーム１７に取り付けられている。これにより、ＬＥＤ基板２０で生じた熱が、放熱板１８を通じてリアフレーム１７に放出される。
【先行技術文献】
【特許文献】
【００１６】
【特許文献１】特開２００９−１９３６６９号公報
【発明の概要】
【発明が解決しようとする課題】
【００１７】
図１５は、従来の液晶ディスプレイ装置で生じる課題を説明するための液晶パネル１３の表面図である。図１５において、黒い部分は画像中の暗い部分を表し、白い部分は画像中の明るい部分を表す。なお、液晶パネル１３の４つの辺（図１２参照）と、反射シート１６の外辺（図１２参照）とは、液晶ディスプレイ装置を組み立てたときに、略一致する。
【００１８】
したがって、液晶パネル１３の中央範囲を、先述した反射シート１６の中央範囲ＣＡと同じ中央範囲ＣＡで表す。
【００１９】
図１５に示すように、従来のＬＥＤの取付態様（図１３参照）では、液晶パネル１３の背面で実際に各ＬＥＤを発光させたとき、液晶パネル１３の中央範囲ＣＡを含めた、コーナー部１３Ａ〜１３Ｄ以外の箇所の輝度は確保されるが、コーナー部１３Ａ〜１３Ｄの輝度が、他の箇所よりも小さくなりやすい。
【００２０】
以下、液晶パネル１３のコーナー部１３Ａ〜１３Ｄの輝度が他の箇所の輝度よりも小さくなりやすい理由について説明する。
【００２１】
図１６は、図１４のＤ−Ｄ線方向に見た側面図である。なお、液晶パネル１３は、図１４をＤ−Ｄ線方向に見たときには表れないが、コーナー部１３Ａ〜１３Ｄの輝度が小さくなりやすい理由について説明するために、液晶パネル１３を図示している。また、以下には、コーナー部１３Ｄの輝度が小さくなる理由が記載されているが、他のコーナー部１３Ａ〜１３Ｃについては、コーナー部１３Ｄと同様であるため、図示及び説明を省略する。
【００２２】
図１６に示すように、反射シート１６の底面１６Ｓ上には、ＬＥＤ１９Ｅ〜１９Ｈが、液晶パネル１３の横方向に沿って配置されている。
【００２３】
液晶パネル１３のコーナー部１３Ｄに最も近いＬＥＤ１９Ｅ以外のＬＥＤ１９Ｆ〜１９Ｈでは、各々の発光方向に液晶パネル１３の領域Ａが位置している。また、ＬＥＤ１９Ｆ〜１９Ｈのうち、２つのＬＥＤからの光束は図示するように互いに干渉し合って、発光レベルが大きくなって、液晶パネル１３の領域Ａに到達する。したがって、ＬＥＤ１９Ｆ〜１９Ｈにより光束が照射される、液晶パネル１３の領域Ａについては、十分な輝度が確保される。
【００２４】
一方で、コーナー部１３Ｄに最も近いＬＥＤ１９Ｅは、液晶パネル１３のコーナー部１３Ｄから距離が離れている。また、コーナー部１３Ｄ方向に隣接するＬＥＤがないので、先述したような光束の干渉もない。従って、液晶パネル１３のコーナー部１３ＤにはＬＥＤ１９Ｅによる光束が届きにくい。
【００２５】
以上のように、各ＬＥＤ群では、最も液晶パネル１３のコーナー部１３Ａ〜１３Ｄに近いＬＥＤからの光束がコーナー部１３Ａ〜１３Ｄに届きにくく、コーナー部１３Ａ〜１３Ｄ以外の領域Ａに対応するＬＥＤ１９Ｆ〜１９Ｈからの光束が液晶パネル１３に届きやすい。これにより、図１５に示すように、液晶パネル１３の中央範囲ＣＡの輝度は確保されるが、コーナー部１３Ａ〜１３Ｄの輝度が、他の箇所よりも小さくなりやすい。
【００２６】
その結果として、液晶パネル１３に表示された画像の見栄えが悪くなるので、コーナー部１３Ａ〜１３Ｄの輝度を他の箇所の輝度に近づけることが望まれる。
【００２７】
本発明は、上述の課題を解決するためになされたものであり、表示パネルの中央範囲の輝度を低下させずに、表示パネルのコーナー部の輝度を他の箇所の輝度に近づけることができる表示装置を提供することを目的とする。
【課題を解決するための手段】
【００２８】
上記目的を達成するために、本発明の一態様に係る表示装置は、光源が配置された面である光源配置面と、前記光源配置面と対向して設けられ、一対の第１辺を有する表示パネルと、前記光源配置面の予め定められた中央範囲を通り、且つ前記第１辺の方向に沿って、前記光源配置面に配置された複数の前記光源である第１光源群と、前記光源配置面のコーナー部に取り付けられた少なくとも１つの光源を含み、前記コーナー部から前記中央範囲に向かう方向に、前記光源配置面に配置された複数の前記光源である第２光源群と、を備える。
【００２９】
この構成によると、表示パネルと対向して設けられた光源配置面では、第１光源群が光源配置面の予め定められた中央範囲を通り、且つ表示パネルの第１辺の方向に沿って取り付けられている。一方で、第２光源群が、光源配置面のコーナー部の光源を含み、光源配置面の中央範囲に向かう方向に取り付けられている。
【００３０】
これにより、液晶パネルのコーナー部を照らす光源が増え、且つ液晶パネルの中央範囲を照らす光源の数が従来とは略同じとなるので、表示パネルの中央範囲の輝度を低下させずに、表示パネルのコーナー部の輝度を他の箇所に近づけることができる。
【００３１】
また、前記光源配置面の裏には、前記光源が取り付けられた基板である光源基板が配置されており、前記光源配置面には、前記光源を貫通させる貫通孔が形成されており、前記光源は、発光方向が前記表示パネルへ向かう方向となるように、前記貫通孔を貫通しており、前記光源取付面の裏には、前記光源基板のうち、前記光源取付面のコーナー部或いは前記コーナー部近傍を含む基板である特定基板が配置されており、前記第２光源群は、前記特定基板のうち、前記コーナー部に対応する箇所であるコーナー部対応箇所に取り付けられた前記１つの光源を含み、前記特定基板に、前記コーナー部対応箇所から前記光源配置面の中央範囲に向かう方向に取り付けられた、前記複数の光源から構成されていてもよい。
【００３２】
この構成によると、第２光源群は、光源配置面の裏の特定基板上に設けられているので、特定基板における光源の取付パターンの設定を、ユーザが自由に行うことができる。その結果、ユーザは、第２光源群の第１光源群に対する角度の設定を容易に行うことができる。よって、表示パネルの中央範囲の輝度、及び、表示パネルのコーナー部の輝度の調整を容易に行うことができる。
【００３３】
また、前記第２光源群では、前記中央範囲から前記コーナー部へ向かうにつれて、隣接する２つの前記光源間の間隔が小さくなってもよい。
【００３４】
この構成によると、第２光源群では、光源配置面の中央範囲からコーナー部へ向かうにつれて、隣接する２つの光源間の間隔が小さくなるので、表示パネルのコーナー部の輝度をより大きくすることができる。
【００３５】
また、前記第２光源群には、前記第１光源群に供給する駆動電力よりも大きな駆動電力が供給されてもよい。
【００３６】
この構成によると、第２光源群には、第１光源群よりも大きな駆動電力が供給されるので、コーナー部の輝度をより大きくすることができる。
【００３７】
また、本発明の他の構成に係る表示装置は、光源が配置された面である光源配置面と、前記光源配置面と対向して設けられ、一対の第１辺を有する表示パネルと、前記光源配置面の予め定められた中央範囲を通り、且つ前記第１辺の横方向に沿って配置された複数の前記光源である光源群が、複数、前記第１辺とは交差する、前記表示パネルの第２辺の縦方向に沿って、前記光源配置面に配置されることにより構成された複数の光源群と、前記光源配置面のコーナー部に配置された前記光源であるコーナー部光源と、を備える。
【００３８】
この構成によると、光源配置面の中央範囲を通り、且つ、表示パネルの第１辺の方向に沿って取り付けられた光源群が、第１辺とは交差する、表示パネルの第２辺の方向に沿って取り付けられて構成された複数の光源群が存在する。そして、光源配置面のコーナー部には、コーナー部光源が配置されている。
【００３９】
これにより、液晶パネルのコーナー部を照らす光源が新たに配置され、且つ液晶パネルの中央範囲を照らす光源の数が従来とは略同じとなるので、表示パネルの中央範囲の輝度を低下させずに、表示パネルのコーナー部の輝度を他の箇所に近づけることができる。
【００４０】
また、前記コーナー部光源には、前記複数の光源群に供給する駆動電力よりも大きな駆動電力が供給されていてもよい。
【００４１】
この構成によると、コーナー部光源には、他の光源よりも大きな駆動電力が供給されているので、表示パネルのコーナー部の輝度をより大きくすることができる。
【００４２】
また、本発明の他の態様に係る表示装置は、光源が配置された面である光源配置面と、前記光源配置面と対向して設けられ、一対の第１辺を有する表示パネルと、前記光源配置面の予め定められた中央範囲を通り、且つ前記第１辺の横方向に沿って取り付けられた複数の前記光源である光源群が、複数、前記第１辺とは交差する、前記表示パネルの第２辺の方向に沿って、前記光源配置面に配置されることにより構成された複数の光源群と、を備え、前記光源配置面には、前記第２辺に沿って最上部の前記光源群、及び、前記第２辺に沿って最下部の前記光源群のうち、前記光源配置面のコーナー部に近接する光源である近接光源が、他の前記光源よりも前記表示パネル側に位置するように段差が設けられている。
【００４３】
この構成によると、光源配置面の中央範囲を通り、且つ表示パネルの第１辺の方向に沿って取り付けられた複数の前記光源である光源群が、複数、第１辺とは交差する、表示パネルの第２辺の方向に沿って取り付けられて複数の光源群が構成されている。
【００４４】
そして、第２辺に沿った最上部の光源群、及び、第２辺に沿った最下部の光源群のうち、光源配置面のコーナー部に近接する光源である近接光源が、他の光源よりも表示パネル側に位置するように段差が設けられている。
【００４５】
これにより、液晶パネルの中央範囲を照らす光源の数が従来とは略同じとなり、且つ表示パネルのコーナー部へ近接光源からの光束が当たりやすくなるので、表示パネルの中央範囲の輝度を低下させずに、表示パネルのコーナー部の輝度を他の箇所の輝度に近づけることができる。
【００４６】
また、本発明の他の態様に係る表示装置は、光源が配置された面である光源配置面と、前記光源配置面と対向して設けられ、一対の第１辺を有する表示パネルと、前記光源配置面において、当該光源配置面の予め定められた中央範囲を通り、且つ前記第１辺の横方向に沿って配置された複数の前記光源である光源群が、複数、前記第１辺とは交差する、前記表示パネルの第２辺の方向に沿って配置されることにより構成された複数の光源群と、を備え、前記第２辺に沿って最上部の前記光源群、及び、前記第２辺に沿って最下部の前記光源群では、前記光源配置面のコーナー部に最も近接する前記光源である近接光源が、当該近接光源の発光方向が前記表示パネルのコーナー部に向かうように取り付けられている。
【００４７】
この構成によると、光源配置面の中央範囲を通り、且つ表示パネルの第１辺の方向に沿って取り付けられた複数の前記光源である光源群が、複数、第１辺とは交差する、表示パネルの第２辺の方向に沿って取り付けられて複数の光源群が構成されている。
【００４８】
そして、第２辺に沿った最上部の光源群、及び、第２辺に沿った最下部の光源群では、光源配置面のコーナー部に最も近接する光源である近接光源が、近接光源の発光方向が表示パネルのコーナー部に向かうように取り付けられている。
【００４９】
これにより、液晶パネルの中央範囲を照らす光源の数が従来とは略同じとなり、且つ表示パネルのコーナー部へ近接光源からの光束が当たりやすくなるので、表示パネルの中央範囲の輝度を低下させずに、表示パネルのコーナー部の輝度を他の箇所に近づけることができる。
【００５０】
例えば、前記光源配置面の裏には、前記光源が取り付けられた光源基板が、前記第２辺に沿って複数配置されており、前記光源配置面には、前記光源を貫通させる貫通孔が形成されており、前記光源は、発光方向が前記表示パネルへ向かう方向となるように、前記貫通孔を貫通しており、前記最上部の光源群、及び、前記最下部の前記光源群は、各々、前記光源基板に取り付けられており、前記表示パネルは、前記一対の第１辺として、上辺及び下辺を有しており、前記最上部の光源群が取り付けられた前記光源基板である上部光源基板は、当該上部光源基板の表面が前記表示パネルの前記上辺へ向かう方向を向くように傾斜しており、前記最下部の光源群が取り付けられた前記光源基板である下部光源基板は、当該光源基板の表面が前記表示パネルの前記下辺に向かう方向を向くように傾斜していてもよい。
【００５１】
この構成によると、表示パネルの上辺に最も近い最上部の光源群が上部光源基板に取り付けられている。一方、表示パネルの下辺に最も近い最下部の光源群が下部光源基板に取り付けられている。そして、上部光源基板の表面が、表示パネルの上辺に向かう方向を向いており、下部光源基板の表面が、表示パネルの下辺に向かう方向を向いている。
【００５２】
これにより、表示パネルのコーナー部の輝度を大きくすることができる。
【００５３】
或いは、前記光源は、発光素子と、前記発光素子から発光された光を分散するレンズと、を備え、前記レンズは、前記発光素子に対して傾斜可能であり、前記近接光源の前記レンズは、当該近接光源からの光が前記コーナー部に向かうように、前記発光素子に対して傾斜していてもよい。
【００５４】
この構成によると、レンズを傾斜させるだけで、液晶パネルのコーナー部へ光が向かうので、簡易な手法で、表示パネルのコーナー部の輝度を明るくすることができる。
【００５５】
また、前記光源は、ＬＥＤ（Light Emitting Diode）であってもよい。
【００５６】
この構成によると、光源は、従来から存在するＬＥＤ（Light Emitting Diode）であるので、コストの低減を図ることができる。また、設置スペースを小さくすることができる。
【００５７】
また、前記表示パネルは液晶パネルであってもよい。
【００５８】
この構成によると、表示パネルは液晶パネルであるので、先述の効果を奏する液晶ディスプレイ装置を提供することができる。
【発明の効果】
【００５９】
本発明によると、表示パネルの中央範囲の輝度を低下させずに、表示パネルのコーナー部の輝度を他の箇所に近づけることができる。
【図面の簡単な説明】
【００６０】
【図１】本発明の実施の形態１に係る液晶ディスプレイ装置を分解した状態を示す分解斜視図である。
【図２】ＬＥＤ（Light Emitting Diode）と、反射シートと、ＬＥＤ基板（光源基板）と、放熱板と、リアフレームとの関係を模式的に描いた側面図である。
【図３】本発明の実施の形態１に係る液晶ディスプレイ装置の反射シートの表面の一例を示した表面図である。
【図４】本発明の実施の形態１に係る液晶ディスプレイ装置１の効果について説明するための、液晶パネルの表面図である。
【図５】液晶パネルの対角線Ｌ（図４参照）上の輝度を測定した結果を表す図である。
【図６】本発明の実施の形態２に係る液晶ディスプレイ装置の反射シートの一例を示した表面図である。
【図７】本発明の実施の形態３に係る液晶ディスプレイ装置の反射シートの一例を示した表面図である。
【図８】本発明の実施の形態４に係る液晶ディスプレイ装置の反射シートの一例を示した表面図である。
【図９】図８のＡ−Ａ線側面図を含み、従来の液晶ディスプレイ装置１００と比較した利点について説明するための図である。
【図１０】本発明の実施の形態５に係る液晶ディスプレイ装置の反射シートの一例を示した表面図である。
【図１１Ａ】図１１のＢ−Ｂ線断面図である。
【図１１Ｂ】図１１のＢ−Ｂ線断面図である。
【図１２】従来の液晶ディスプレイ装置を分解した状態を示す分解斜視図である。
【図１３】従来の液晶ディスプレイ装置の反射シートの平面図である。
【図１４】図１３のＣ−Ｃ線断面図である。
【図１５】従来の液晶ディスプレイ装置で生じる課題を説明するための液晶パネルの表面図である。
【図１６】図１４のＤ−Ｄ線断面図である。
【発明を実施するための形態】
【００６１】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００６２】
また、以下では、表示装置として液晶ディスプレイ装置を例示しているが、本発明ではこの例には限られず、表示パネルのコーナー部の輝度を中央範囲の輝度に近づけることが求められる装置であればよい。
【００６３】
（実施の形態１）
＜液晶ディスプレイ装置の構成＞
図１は、本発明の実施の形態１に係る液晶ディスプレイ装置を分解した状態を示す分解斜視図である。図２は、ＬＥＤ（Light Emitting Diode）１９と、反射シート１６と、ＬＥＤ基板（光源基板）２０と、放熱板１８と、リアフレーム１７との関係を模式的に描いた側面図である。なお、図１では、液晶パネル（表示パネル）１３の横方向をＸ軸方向で表し、液晶パネル１３の縦方向をＹ軸方向で表している。また、図２の（ａ）は、レンズ１９０を外した状態を、図２の（ｂ）は、レンズ１９０を取り付けた状態を、それぞれ表す。
【００６４】
液晶ディスプレイ装置１０は、フロントキャビネット１１、ベゼル１２、液晶パネル１３、モールドフレーム１４、光学シート１５、反射シート１６、及び、リアフレーム１７を備える。
【００６５】
フロントキャビネット１１は、液晶ディスプレイ装置１０の前方側に配置される、枠状の部材である。ベゼル１２は、液晶パネル１３の外枠を保護し当該外枠に沿って設けられる部材である。
【００６６】
液晶パネル１３は画像を表示する部材であり、横方向の一対の第１辺１３０、１３１と、縦方向の一対の第２辺１３２、１３３とを有する。モールドフレーム１４は、液晶パネル１３をその背面側から支持する部材である。
【００６７】
光学板１５は、拡散板や導光板等、複数の部材から構成されている。反射シート１６は、その底面（光源配置面）１６Ｓに配置されたＬＥＤ１９からの光を光学板１５の方向へ反射させる部材である。リアフレーム１７は、液晶ディスプレイ装置１０の後部筐体となる部材である。
【００６８】
反射シート１６の裏面には、後述する所定パターンでＬＥＤ基板（光源基板）２０が配置されている。
【００６９】
複数のＬＥＤ基板２０の表部には、各々、複数のＬＥＤ１９が取り付けられている。各ＬＥＤ１９は、その発光方向が液晶パネル１３の方向となるように、貫通孔１６０を貫通している。各ＬＥＤ１９は、液晶パネル１３のバックライトとしての機能を果たす。
【００７０】
ＬＥＤ１９は、図２に示すように、レンズ１９０と、レンズ１９０に取り付けられた一対の脚部１９１と、ＬＥＤ基板２０上に配置された発光素子１９２と、を備える。レンズ１９０は、発光素子１９２から発光した光を拡散させる。一対の脚部１９１は、レンズ１９０で発光素子１９２を覆うためにＬＥＤ基板２０に取り付けられる部材である。発光素子１９２は、通電されることにより発光する部材である。
【００７１】
反射シート１６には、ＬＥＤ１９を貫通させたい部分に、貫通孔１６０が形成されている。この貫通孔１６０では、一対の脚部１９１をＬＥＤ基板２０に取り付けたとき、レンズ１９０と一対の脚部１９１とが、反射シート１６を貫通する。
【００７２】
ＬＥＤ基板２０と放熱板１８とは、反射シート１６の裏面に配置されており、これらは、放熱テープやネジによって取り付けられる。放熱板１８は、リアフレーム１７に取り付けられている。放熱板１８は、ＬＥＤ基板２０で生じた熱を、リアフレーム１７に逃がす。
【００７３】
ＬＥＤ１９では、レンズ１９０は、一対の脚部１９１のいずれか一方の長さを調節することにより、レンズ１９０が向く方向を調節することができるようにされている。
【００７４】
図３は、本発明の実施の形態１に係る液晶ディスプレイ装置１０の反射シート１６の表面の一例を示した表面図である。なお、反射シート１６は、図１に示すように、反射シート１６の外辺が、液晶パネル１３の辺と略重なるように、液晶パネル１３に取り付けられる。
【００７５】
そのため、反射シート１６の横方向と液晶パネル１３の横方向とは同一方向であり、反射シート１６の縦方向と液晶パネル１３の縦方向とは同一方向である。したがって、反射シート１６の横方向を、液晶パネル１３の横方向と同じ矢印Ｘで表し、反射シート１６の縦方向を液晶パネル１３の縦方向と同じ矢印Ｙで表す。  反射シート１６の底面１６Ｓには、複数のＬＥＤ１９が所定の方向に配置されることによって、複数のＬＥＤ群１９４Ａ〜１９４Ｆが構成されている。
【００７６】
反射シート１６の裏面には、反射シート１６のコーナー部１６０から中央範囲ＣＡに向かうＬＥＤ基板２０Ａが配置されている。当該ＬＥＤ基板２０Ａ上の反射シート１６では、ＬＥＤ１９を貫通させる複数の貫通孔１６０が形成されている。各貫通孔１６０には、その発光方向が液晶パネル１３方向となるように、ＬＥＤ１９が貫通している。これにより、ＬＥＤ群（第２光源群）１９４Ａが構成されている。
【００７７】
また、反射シート１６の裏面には、反射シート１６のコーナー部１６２から中央範囲ＣＡに向かうＬＥＤ基板２０Ｂが配置されている。当該ＬＥＤ基板２０Ｂ上の反射シート１６では、ＬＥＤ１９を貫通させる複数の貫通孔１６０が形成されている。各貫通孔１６０には、その発光方向が液晶パネル１３方向となるように、ＬＥＤ１９が貫通している。これにより、ＬＥＤ群（第２光源群）１９４Ｂが構成されている。
【００７８】
さらに、反射シート１６の裏面には、反射シート１６のコーナー部１６１から中央範囲ＣＡに向かうＬＥＤ基板２０Ｅが配置されている。当該ＬＥＤ基板２０Ｅ上の反射シート１６では、ＬＥＤ１９を貫通させる複数の貫通孔１６０が形成されている。各貫通孔１６０には、その発光方向が液晶パネル１３方向となるように、ＬＥＤ１９が貫通している。これにより、ＬＥＤ群（第２光源群）１９４Ｅが構成されている。
【００７９】
さらに、反射シート１６の裏面には、反射シート１６のコーナー部１６３から中央範囲ＣＡに向かうＬＥＤ基板２０Ｆが配置されている。当該ＬＥＤ基板２０Ｆ上の反射シート１６では、ＬＥＤ１９を貫通させる複数の貫通孔１６０が形成されている。各貫通孔１６０には、その発光方向が液晶パネル１３方向となるように、ＬＥＤ１９が貫通している。これにより、ＬＥＤ群（第２光源群）１９４Ｆが構成されている。
【００８０】
さらに、反射シート１６の裏面には、反射シート１６の中央範囲ＣＡを通り、且つ、横方向に向かうＬＥＤ基板２０Ｃ、２０Ｄが配置されている。ＬＥＤ基板２０Ｃ、２０Ｄ上の反射シート１６では、ＬＥＤ１９を貫通させる複数の貫通孔１６０が形成されている。各貫通孔１６０には、その発光方向が液晶パネル１３方向となるように、ＬＥＤ１９が貫通している。これにより、ＬＥＤ群（第１光源群）１９４Ｃ、１９４Ｄが構成されている。
【００８１】
＜液晶ディスプレイ装置による効果＞
本発明者は、図１〜３に示す液晶ディスプレイ装置１と、図１２〜図１４に示す従来の液晶ディスプレイ装置１００とを用いて以下の実験を行った。
【００８２】
図４は、本発明の実施の形態１に係る液晶ディスプレイ装置１の効果について説明するための、液晶パネル１３の表面図である。本発明者が、反射シート１６に液晶パネル１３を取り付けて反射シート１６上のＬＥＤ１９を点灯させたとき、液晶パネル１３には、図４に示す画像が表示された。なお、図４において、黒い部分は画像中の暗い部分を表し、白い部分は画像中の明るい部分を表す。
【００８３】
図４と図１５とを比較したとき、図４では、図１５に比べてコーナー部１３Ａ〜１３Ｄの輝度が大きくなっている。一方で、中央範囲ＣＡの輝度は両者であまり変わらない。
【００８４】
また、本発明は、本実施の形態１に係る液晶ディスプレイ装置１と、従来の液晶ディスプレイ装置１００との各々において、液晶パネル１３の対角線Ｌ（図４参照）上の輝度を測定した。
【００８５】
図５は、液晶パネル１３の対角線Ｌ（図４参照）上の輝度を測定した結果を表す図である。なお、図５において、横軸は寸法（単位はｍｍ）を、縦軸は、液晶パネル１３の中心の輝度を“１００％”としたときの輝度の“変化率”をそれぞれ表している。また、領域ＡＲ１及び領域ＡＲ２はそれぞれ、対角線Ｌの始端部及び終端部、つまり、コーナー部１３Ａ及び１３Ｄの輝度を表している。
【００８６】
図５に示すように、領域ＡＲ１では、破線で示す輝度よりも実線で示す輝度のほうがおよそ１０％大きく、領域ＡＲ２では、実線で示す輝度が破線で示す輝度よりもおよそ５％以上大きい。
【００８７】
なお、領域ＡＲ１において、寸法が５０ｍｍ〜７０ｍｍに増える途中で、一端、前記変化率が落ち込んでいる。これは、反射シート１６において、コーナー部１３Ａに対応する部分から対角線Ｌに沿って５０ｍｍ〜７０ｍｍの範囲の間に、光学シート１５を保持する保持部材（不図示）が存在するからである。このような保持部材が存在するので、液晶パネル１３のうち、保持部材の真上近辺の領域の輝度が落ち込む。
【００８８】
以上のように、本実施の形態１に係る液晶ディスプレイ装置によると、ＬＥＤ群１９４Ｃ及び１９４Ｄが、ＬＥＤ取付面１８Ｓの中央範囲ＣＡを通り、且つ、液晶パネル１３の横方向に沿うように取り付けられている。そして、ＬＥＤ群１９４Ａ、１９４Ｂ、１９４Ｅ、及び１９４Ｆの各々が、ＬＥＤ取付面１８Ｓのコーナー部１８０〜１８３から中央範囲ＣＡに向けて配置されている。
【００８９】
これにより、液晶パネル１３の中央範囲ＣＡの輝度を低下させずに液晶パネル１３のコーナー部１３Ａ〜１３Ｄの輝度を他の箇所の輝度に近づけることができる。
【００９０】
なお、ＬＥＤ群１９４Ａ、１９４Ｂ、１９４Ｅ、及び１９４Ｆでは、中央範囲ＣＡからコーナー部１８０〜１８３に向かうにつれて、隣接する２つのＬＥＤ１９間の間隔が小さくなるように、ＬＥＤ１９を配置してもよい。これにより、液晶パネル１３のコーナー部１３Ａ〜１３Ｄの輝度をより大きくすることができる。
【００９１】
また、ＬＥＤ群１９４Ａ、１９４Ｂ、１９４Ｅ、及び１９４Ｆに供給する駆動電力を、ＬＥＤ群１９４Ｃ及び１９４Ｄよりも大きくしてもよい。こうすれば、コーナー部１３Ａ〜１３Ｄの輝度をより大きくすることができる。
【００９２】
（実施の形態２）
図６は、本発明の実施の形態２に係る液晶ディスプレイ装置の反射シートの一例を示した表面図である。なお、実施の形態２に係る液晶ディスプレイ装置の基本構成は、反射シート１６の付属要素を除き、実施の形態１に係る液晶ディスプレイ装置１０と同一である。そのため、液晶ディスプレイ装置１０Ａのうち、液晶ディスプレイ装置１０と同様の構成要素には同一符号を付して説明を省略する。
【００９３】
液晶ディスプレイ装置１０Ａでは、反射シート１６の裏面に、ＬＥＤ基板２０Ａ、２０Ｂ、２０Ｃ、及び２０Ｄに代えて、これらよりも表面積が大きなＬＥＤ基板２０Ａ（１）、２０Ｂ（１）、２０Ｃ（１）、及び２０Ｄ（１）が配置されている。
【００９４】
これらのＬＥＤ基板２０Ａ（１）〜２０Ｄ（１）の各々は、反射シート１６のコーナー部１６０、１６１、１６２、及び１６３を各々含む表面積とされている。なお、図６では、ＬＥＤ基板２０Ａ（１）〜２０Ｄ（１）の各々含む表面積とされているが、本発明ではこの例には限られず、コーナー部１６０〜１６３の近傍を含む表面積とされていてもよい。
【００９５】
以下、ＬＥＤ基板２０（１）〜２０（４）の各々において、反射シート１６の底面１６Ｓのコーナー部１６０〜１６３に対応する部分を、コーナー部対応箇所２００という。
【００９６】
ＬＥＤ基板２０Ａ（１）〜２０Ｄ（１）の各々では、コーナー部対応箇所２００には、少なくとも１つのコーナー部ＬＥＤ１９Ａが取り付けられている。そして、ＬＥＤ基板２０Ａ（１）〜２０Ｄ（１）のコーナー部対応箇所２００の各々から、中央範囲ＣＡに向けて複数のＬＥＤ１９が取り付けられている。
【００９７】
液晶ディスプレイ装置１０Ａでは、コーナー部ＬＥＤ１９Ａを含めた、ＬＥＤ基板２０Ａ（１）上の複数のＬＥＤ１９が先述のＬＥＤ群１９４Ａを構成する。
【００９８】
また、コーナー部ＬＥＤ１９Ａを含めた、ＬＥＤ基板２０Ｂ（１）上の複数のＬＥＤ１９が先述のＬＥＤ群１９４Ｂを構成する。
【００９９】
さらに、コーナー部ＬＥＤ１９Ａを含めた、ＬＥＤ基板２０Ｃ（１）上の複数のＬＥＤ１９が先述のＬＥＤ群１９４Ｅを構成する。
【０１００】
さらに、コーナー部ＬＥＤ１９Ａを含めた、ＬＥＤ基板２０Ｄ（１）上の複数のＬＥＤ１９が先述のＬＥＤ群１９４Ｆを構成する。
【０１０１】
以上のように、本実施形態２に係るディスプレイ装置１０Ａによると、ＬＥＤ基板２０Ａ〜２０Ｄの各々において、複数のＬＥＤ１９をコーナー部対応箇所２００から中央範囲ＣＡに向けて配置しているので、実施の形態１に係るディスプレイ装置１０と同様の効果を得ることができる。
【０１０２】
また、作業者が、各ＬＥＤ群が任意の角度を持つように、各ＬＥＤ１９を、ＬＥＤ基板２０Ａ（１）〜２０Ｄ（１）に配置することができる。そのため、作業者は、各ＬＥＤ群の横方向に対する角度を所望の角度に設定することができるため、液晶パネル１３の中央範囲ＣＡの輝度、及び、液晶パネル１３のコーナー部１３Ａ〜１３Ｄの輝度の調整を容易に行うことができる。
【０１０３】
なお、ＬＥＤ群１９４Ａ、１９４Ｂ、１９４Ｅ、及び１９４Ｆでは、中央範囲ＣＡからコーナー部１８０〜１８３に向かうにつれて、２つのＬＥＤ１９間の間隔が小さくなるように、ＬＥＤ１９を配置してもよい。これにより、液晶パネル１３のコーナー部１３Ａ〜１３Ｄの輝度をより大きくすることができる。
【０１０４】
また、ＬＥＤ群１９４Ａ、１９４Ｂ、１９４Ｅ、及び１９４Ｆに供給する駆動電力を、ＬＥＤ群１９４Ｄ及び１９４Ｄよりも大きくしてもよい。こうすれば、コーナー部１３Ａ〜１３Ｄの輝度をより大きくすることができる。
【０１０５】
特に、コーナー部ＬＥＤ１９Ａには、コーナー部対応箇所２００以外のＬＥＤ１９よりも大きな駆動電力を供給してもよい。こうすれば、液晶パネル１３のコーナー部１３Ａ〜１３Ｄの輝度をより大きくすることができる。
【０１０６】
さらに、ＬＥＤ群１９４Ａ、１９４Ｂ、１９４Ｅ、及び１９４Ｆでは、中央範囲ＣＡからコーナー部１８０〜１８３に向かうにつれて、２つのＬＥＤ１９間の間隔が小さくなるように、ＬＥＤ１９を配置してもよい。これにより、液晶パネル１３のコーナー部１３Ａ〜１３Ｄの輝度をより大きくすることができる。
【０１０７】
（実施の形態３）
図７は、本発明の実施の形態３に係る液晶ディスプレイ装置の反射シートの一例を示した表面図である。なお、実施の形態３に係る液晶ディスプレイ装置の基本構成は、反射シート１６の付属要素を除き、実施の形態１に係る液晶ディスプレイ装置１０と同一である。そのため、液晶ディスプレイ装置１０Ｂのうち、液晶ディスプレイ装置１０と同様の構成要素には同一符号を付して説明を省略する。
【０１０８】
ＬＥＤ群１９４Ｇ、１９４Ｃ、及び、１９４Ｉの各々は、複数のＬＥＤ１９が、液晶パネル１３の横方向に沿って、ＬＥＤ取付面１８Ｓの中央範囲ＣＡから左方向に向けて取り付けられることによって構成されている。ＬＥＤ群１９４Ｇ、１９４Ｃ、及び、１９４Ｉの各々は、液晶パネル１３の縦方向に沿って配置されている。
【０１０９】
また、ＬＥＤ群１９４Ｈ、１９４Ｄ、及び１９４Ｊの各々は、複数のＬＥＤ１９が、液晶パネル１３の横方向に沿って、ＬＥＤ取付面１８Ｓの中央範囲ＣＡから右方向に向けて取り付けられることによって構成されている。ＬＥＤ群１９４Ｈ、１９４Ｄ、及び１９４Ｊの各々は、液晶パネル１３の縦方向に沿って配置されている。
【０１１０】
また、反射シート１６の底面１６Ｓのコーナー部１６０〜１６３には、先述のコーナー部ＬＥＤ１９Ａが、各ＬＥＤ群とは独立して取り付けられている。なお、コーナー部ＬＥＤ１９Ａの取り付けは、底面１６Ｓのコーナー部１６０〜１６３の各々に貫通孔１６０を形成し、当該貫通孔１６０に、ＬＥＤ基板２０Ａ上に配置されたコーナー部ＬＥＤ１９Ａを貫通させることにより可能である。なお、ＬＥＤ基板２０Ａの直下には放熱板１８が配置され、放熱板１８の直下にはリアフレーム１７が配置されている。
【０１１１】
以上のように、本実施の形態３に係る液晶ディスプレイ装置１０Ｂによると、コーナー部ＬＥＤ１９Ａ〜１９Ｄが、中央範囲ＣＡを通る各ＬＥＤ群とは独立して配置されているので、中央範囲ＣＡの輝度を低下させずに、コーナー部の輝度を向上させることができる。
【０１１２】
また、各ＬＥＤ群と当該ＬＥＤ群と縦方向で隣り合うＬＥＤ群との間隔が、図１５に示す従来の間隔と同じであり、コーナー部をピンポイントで照射しているため、実施の形態１及び２と比較して、液晶パネル１３における輝度のムラが生じにくい。
【０１１３】
なお、ＬＥＤ群１９４Ｇ、１９４Ｈ、１９４Ｉ、及び１９４Ｊでは、中央範囲ＣＡからコーナー部１６０〜１６３に向かうにつれて、２つのＬＥＤ１９間の間隔が小さくなるように、ＬＥＤ１９を配置してもよい。これにより、液晶パネル１３のコーナー部１３Ａ〜１３Ｄの輝度をより大きくすることができる。
【０１１４】
（実施の形態４）
図８は、本発明の実施の形態４に係る液晶ディスプレイ装置の反射シートの一例を示した表面図である。図９は、図８のＡ−Ａ線側面図を含み、従来の液晶ディスプレイ装置１００と比較した利点について説明するための図である。
【０１１５】
なお、図９の（ａ）は液晶パネル１３を取り付けていない状態を表し、図９の（ｂ）は液晶パネル１３を取り付けた状態を表している。また、図９の（ａ）及び図９の（ｂ）においては、高さ方向をＺ軸方向で表している。なお、図９では、反射シート１６の底面１６Ｓは、底面１６Ｓに処置を施さなければ、段差１８Ｃ（１）によってせりあがるため、段差１８Ｃ（１）のある部分だけ底面１６Ｓをくりぬくなどの処理が施されている。
【０１１６】
この液晶ディスプレイ装置１０Ｃでは、従来の液晶ディスプレイ装置１００（図１３参照）と同様に、反射シート１６の底面１６Ｓに、ＬＥＤ群（光源群）１９４Ａ〜１９４Ｆが配置されている。
【０１１７】
ところが、ＬＥＤ群１９４Ａの左端部のＬＥＤ１９、及び、ＬＥＤ群１９４Ｅの左端部のＬＥＤ１９の各々の頂点が、他のＬＥＤ１９の頂点よりも、液晶パネル１３に近づくように、ＬＥＤ基板２０Ａ（３）、２０Ｃ（３）が載置される放熱板１８に、上方向の段差１８Ｃ（１）が設けられている。
【０１１８】
また、ＬＥＤ群１９４Ｂの右端部のＬＥＤ１９、及びＬＥＤ群１９４Ｆの右端部のＬＥＤ１９の各々の頂点が、他のＬＥＤ１９の頂点おりも、液晶パネル１３に近づくように、ＬＥＤ基板２０Ｂ（３）、２０Ｄ（３）が載置される放熱板１８に、上方向の段差１８Ｃが形成されている。
【０１１９】
図９には、ＬＥＤ群１９４Ｆの右部の構成が示されており、右端のＬＥＤ１９Ｅは、段差１８Ｃ（１）によって、他のＬＥＤ１９Ｆ〜１９Ｈよりも高くせりあがっている。これに対して、従来構成では、ＬＥＤ１９Ｅの頂部の高さは、他のＬＥＤ１９Ｅ〜１９Ｈと同じである。
【０１２０】
なお、図９には、ＬＥＤ群１９４Ｆの右部の構成が示されているが、ＬＥＤ群１９４Ａの左部、ＬＥＤ群１９４Ｂの右部、及びＬＥＤ群１９４Ｅの左部の構成は、ＬＥＤ群１９４Ｆの右端と同様であるため、ＬＥＤ群１９４Ａの左部、ＬＥＤ群１９４Ｂの右部、及びＬＥＤ群１９４Ｅの左部の構成についての図示及び説明は省略している。
【０１２１】
図９の（ｂ）に示すように、従来構成では、コーナー部１３Ａ〜１３Ｄにおける光束は弱いが、実施の形態４によると、コーナー部１３Ａ〜１３Ｄにおける光束が、従来構成と比較して強くなる（図９の（ｂ）の放物線を参照）。
【０１２２】
以上のように、本実施の形態４に係る液晶ディスプレイ装置１０Ｃによると、従来の液晶ディスプレイ装置１００（図１３参照）と同様に、ＬＥＤ群１９４Ａ〜１９４Ｆが配置されている。そして、先述したような段差１８Ｃ（１）が、ＬＥＤ１９Ｅの頂部の高さを、他のＬＥＤ１９よりも高くせり上げている。
【０１２３】
これにより、液晶パネル１３の中央範囲ＣＡの輝度を低下させず、液晶パネル１３のコーナー部１３Ａ〜１３Ｄの輝度を他の箇所に近づけることができる。
【０１２４】
（実施の形態５）
図１０は、本発明の実施の形態５に係る液晶ディスプレイ装置の反射シートの一例を示した表面図である。図１１Ａ及び図１１Ｂは、図１０のＢ−Ｂ線断面図である。なお、図１１Ａでは、ＬＥＤ基板２０Ｂ（４）、２０Ｄ（４）を傾斜させた分だけ、反射シート１６の底面１６Ｓが変形しているが、液晶パネル１３において求められる輝度に影響がなければ、変形していてもよい。
【０１２５】
また、図１１Ｂにおいて、液晶パネル１３の直上に存在する符号“２２”は、ＬＥＤ群１９４Ｂ及び１９４Ｆからの光束を表し、符号“２３”は、光束２２の大きさを表している。
【０１２６】
この液晶ディスプレイ装置１０Ｄでは、従来の液晶ディスプレイ装置１００と同様に、反射シート１６の底面１６Ｓに、ＬＥＤ群１９４Ａ〜１９４Ｆが配置されている。
【０１２７】
ＬＥＤ群１９４Ｂを取り付けたＬＥＤ基板（上部光源基板）２０Ｂ（４）は、放熱板１８に対して垂直な突起２１によってリアフレーム１７の底面１７Ｓに対して所定の角度がつけられている。また、ＬＥＤ群１９４Ｆを取り付けたＬＥＤ基板（下部光源基板）２０Ｄ（４）も、放熱板１８に対して垂直な突起２１によって、リアフレーム１７の底面１７Ｓに対して所定の角度がつけられている。
【０１２８】
なお、所定の角度とは、ＬＥＤ基板２０Ｂ（４）の表面が、液晶パネル１３の一対の第１辺１３０、１３１のうち上辺１３１に向かう方向を向く角度であり、ＬＥＤ基板２０Ｄ（４）が、液晶パネル１３の下辺１３０に向かう方向を向く角度である。より詳しくは、所定の角度とは、ＬＥＤ群１９４Ｂの発光方向にコーナー部１３Ｂを含み、ＬＥＤ群１９４Ｆの発光方向にコーナー部１３Ｄを含む角度である。なお、ＬＥＤ群１９４Ａ、１９４Ｅについても、ＬＥＤ群１９４Ｂ、１９４Ｆと同様に、ＬＥＤ群１９４Ａ、１９４Ｅによる光束が、コーナー部１３Ａ、１３Ｃに向かうように、ＬＥＤ群１９４Ａ、１９４Ｅが取り付けられたＬＥＤ基板２０Ａ（４）、２０Ｃ（４）が傾斜している。
【０１２９】
以上のように、本実施の形態５に係る液晶ディスプレイ装置１０Ｄによると、ＬＥＤ基板２０Ａ（４）、２０Ｂ（４）、２０Ｃ（４）、及び２０Ｄ（４）を傾斜させて、コーナー部１３Ａ〜１３Ｄへ光束が向かうようにしているので、簡易な手法で、液晶パネル１３のコーナー部１３Ａ〜１３Ｄの輝度を他の箇所に近づけることができる。
【０１３０】
なお、実施の形態５では、ＬＥＤ基板２０を傾斜させるのではなく、ＬＥＤ１９の脚部１９１の長さを調節することにより、図１１Ｂに示すように、ＬＥＤ群１９４Ｂの各ＬＥＤ１９のレンズ１９０の頂部が向かう方向に、コーナー部１３Ｂが含まれるように、レンズ１９０を発光素子１９２に対して傾斜させてもよい。
【０１３１】
また、ＬＥＤ群１９４Ｆの各ＬＥＤ１９のレンズ１９０の頂部が向かう方向に、コーナー部１３Ｄが含まれるように、レンズ１９０を発光素子１９２対して傾斜させてもよい。
【０１３２】
なお、ＬＥＤ群１９４Ａ及び１９４Ｅについては、ＬＥＤ群１９４Ｂ及び１９４Ｆと同様であるため、説明及び図示を省略する。
【０１３３】
以上のような態様では、レンズ１９０を発光素子１９２に対して傾斜させることにより、ＬＥＤ１９毎に光束が向かう方向を調整することができるので、液晶パネル１３の輝度の設定をより精密に行うことができる。
【０１３４】
また、この態様では、ＬＥＤ１９毎にレンズ１９０の傾斜を調整することができるので、コーナー部１３Ａ〜１３Ｄに最も近いＬＥＤ１９のレンズ１９０のみを傾斜させることも可能である。したがって、先述したようにＬＥＤ基板２０を傾斜させる場合よりも、より簡易に、液晶パネル１３のコーナー部１３Ａ〜１３Ｄの輝度を他の箇所に近づけることができる。
【０１３５】
これに対して図１４では、ＬＥＤ基板２０及びレンズ１９０のいずれもが傾斜していないので、コーナー部１３Ｂ、１３Ｄに光束が届きにくい。
【０１３６】
（別実施の形態等）
以上、本発明の実施の形態に係る液晶ディスプレイ装置について説明したが、本発明は、これらの実施の形態に限定されるものではない。
【０１３７】
例えば、実施の形態４を実施の形態１〜３のいずれか１つと組み合わせて実施してもよいすなわち、コーナー部１３Ａ〜１３Ｄと最も近接するＬＥＤ１９を、段差１８Ｃ（１）を設けることにより、他のＬＥＤ１９よりも頂部が上方に位置するようにしてもよい。
【０１３８】
また、実施の形態５を実施の形態１〜４のいずれか１つと組み合わせて実施してもよい。すなわち、ＬＥＤ群１９４Ａ、１９４Ｂ、１９４Ｅ、及び１９４Ｆが設けられたＬＥＤ基板を、各ＬＥＤ群からの光束がコーナー部１３Ａ〜１３Ｄに到達するように、傾斜させてもよい。また、ＬＥＤ群１９４Ａ、１９４Ｂ、１９４Ｅ、及び１９４Ｆについて、ＬＥＤ１９毎にレンズ１９０を傾斜させてもよい。
【０１３９】
さらに、コーナー部１３Ａ〜１３Ｄに最も近接するＬＥＤ１９の二次レンズ１９０を、当該ＬＥＤ１９からの光束がコーナー部１３Ａ〜１３Ｄに到達するように傾斜させてもよい。
【産業上の利用可能性】
【０１４０】
本発明は、例えば、液晶ディスプレイ装置など、表示パネルのコーナー部の輝度を中央範囲の輝度に近づけることが求められる装置に適用できる。
【符号の説明】
【０１４１】
１０、１０Ａ〜１０Ｄ  液晶ディスプレイ装置
１３  液晶パネル
１３Ａ〜１３Ｄ  液晶パネルのコーナー部
１６  反射シート
１６Ｓ  反射シートの表面
１８  放熱板
１８Ｃ（１）  段差
１９、１９Ａ〜１９Ｈ  ＬＥＤ
２０Ａ〜２０Ｆ、２０Ａ（１）〜２０Ｄ（１）、２０Ａ（２）〜２０Ｄ（２）、２０Ａ（３）〜２０Ｄ（３）、２０Ａ（４）〜２０Ｄ（４）  ＬＥＤ基板
２００  コーナー部対応箇所
１９０  レンズ
１９４Ａ〜１９４Ｊ  ＬＥＤ群
ＣＡ  中央範囲
【図１】
2014219649.tif 000003
【図２】
2014219649.tif 000004
【図３】
2014219649.tif 000005
【図５】
2014219649.tif 000006
【図６】
2014219649.tif 000007
【図７】
2014219649.tif 000008
【図８】
2014219649.tif 000009
【図９】
2014219649.tif 000010
【図１０】
2014219649.tif 000011
【図１１Ａ】
2014219649.tif 000012
【図１１Ｂ】
2014219649.tif 000013
【図１２】
2014219649.tif 000014
【図１３】
2014219649.tif 000015
【図１４】
2014219649.tif 000016
【図１６】
2014219649.tif 000017
【図４】
2014219649.tif 000018
【図１５】
2014219649.tif 000019